(57)【特許請求の範囲】
【請求項１】
光ピックアップを用いたディスク記録再生装置において、ディスク記録再生装置の光学ベース７に形成した軸受に回動可能に装着したシャッター９と、前記シャッター９のシャッター回転軸９１を同心軸とする円弧状の案内溝８６を形成した光学系保護カバー８とを備え、光ピックアップの移動に伴って前記シャッターが前記案内溝に沿って回動し、対物レンズ１５を開閉するように構成したシャッター機構を有することを特徴とするディスク記録再生装置。
【請求項２】
シャッター機構は、光学ベース７に形成した軸受に回動可能に装着したシャッター９の一端にシャッター回転軸９１に沿って脚部９４を設け、該脚部にストッパー９２とスプリング懸止部９３とを設け、該シャッターの他端を光学系保護カバー８に形成した案内溝８６の縁部に摺動可能に係合させて、光ピックアップ１０の移動に伴って前記脚部に設けたスプリング懸止部９３と光学ベース７に設けたスプリング懸止部８７との間に懸架したスプリング１６を付勢し、前記シャッターを前記案内溝に沿って回動させ、対物レンズ１５を開閉するように構成したことを特徴とする請求項１記載のディスク記録再生装置。
【請求項３】
シャッター９の他端部は、断面形状がＬ字型の案内部に形成されていることを特徴とする請求項２記載のディスク記録再生装置。
【発明の詳細な説明】
【０００１】
【発明の属する技術分野】
本発明は、ＣＤやＤＶＤ等の光学ディスクを使用し、光ピックアップにより再生または記録と再生を行なうディスク記録再生装置に関し、上記ディスク記録再生装置における光ピックアップの対物レンズ保護用のシャッター機構を備えたディスク記録再生装置に関する。
【０００２】
【従来の技術】
従来一般に汎用されているディスク記録再生装置としては、例えば、図５〜図７に示すものがある。このようなディスク記録再生装置には、図６に示すように、光ピックアップ１０の移動を案内するガイドシャフト５と、光ピックアップ１０の送り機構２と、ディスクを搭載して回転させるターンテーブル３と、光ピックアップ１０の位置検出スイッチ（図示せず）が設けられている。光ピックアップ１０は、光学系装置および対物レンズ１５ならびにその駆動機構を備えたアクチュエータ部（図示せず）を配置する光学ベース７、その周囲を覆う光学系保護カバー８で構成されており、該光学系保護カバー８には対物レンズ１５の窓部８１が設けられている。
【０００３】
上記光ピックアップ１０の光学ベース７は、直線ギア２３を備えた送り機構２のラック部４と一体に固定されており、ラック部４はガイドシャフト５に摺動して移動するように設けられている。送り機構２は駆動用モーターの回転によってシャーシ１と水平に回転するギヤ２０、２１，２２、およびギヤ２２の軸に設けられた図示されないギヤ２４を備えており、ギヤ２４とラック部４の直線ギア２３とが噛み合うように構成され、駆動用モーターにより各ギヤが回転しこれに伴って光ピックアップ１０がガイドシャフト５に沿って平行移動する構造となっている。
【０００４】
また図５に示すように、光ピックアップ１０と、送り機構２のギヤ部分およびラック部４に塵や埃等の侵入するのを防ぎ保護するためにメカ部分を覆う保護カバー６が設けられており、該保護カバー６には、対物レンズ１５の移動する軌跡にあわせた長穴６１が設けられている。
【０００５】
ディスク記録再生装置は、ディスクの記録再生開始時には光ピックアップの位置を検出し、すなわち光ピックアップがディスクの内周位置（ターンテーブル側）にあることを確認したのち、ディスクの情報を読み込み記録再生を開始する構成になっている。ディスク内情報の記録再生終了時には、光ピックアップを再びターンテーブル側に移動し位置検出が可能な状態となる。
【０００６】
このような記録再生装置においては、光ピックアップ１０の光学系保護カバー８には、図６、図７に示すように、対物レンズ１５用の窓部８１が設けられている。また図５に示すように、光ピックアップおよび送り機構部分へ外部から塵や埃の侵入を防ぐための保護カバー６が装着されており、該保護カバー６には光ピックアップの移動に伴って対物レンズ１５によるディスク内の情報を読み込むための長穴６１が設けてある。このために塵や埃の多い環境下では、記録再生時以外に上記のレンズ用の窓部から埃や塵等が侵入して対物レンズに付着し、記録再生に支障をきたすことがある。
【０００７】
対物レンズへの埃や塵の侵入を防止する方法として、例えば、特開平６−２５９７９７号には、対物レンズの保護レバー（シャッター）を回動自在に取付けた軸ピンに弾性部材を取付け、その自由端側が保護レバーに設けられたストッパーに当接してスナップ動作するようにした対物レンズ保護装置が示されている。
また、図８〜図１０に示すような構造の対物レンズを覆うシャッター機構が知られている。図８はシャッター機構を有するディスク記録再生装置の斜視図（シャッターが開放された状態を示す）、図９は上面図（シャッターが閉鎖された状態を示す）、図１０はシャッター部の部分拡大図（シャッターが閉鎖された状態を示す）をそれぞれ示す。
【０００８】
図８〜図１０に示されるシャッター機構は、光ピックアップ１０における光学ベース７に設置されており、常に光ピックアップ１０と共に移動する構造となっている。すなわち、図８〜図１０に示すシャッター機構は、光ピックアップ１０の光学ベース７に設けられた軸受（図示せず）に、回転軸３１を装着しシャッター３０が回動可能に設けられており、シャッター３０の回転軸側の一端は軸に沿って脚部３２が形成され、該脚部下端部にはシャッター３０の回動を規制するストッパー３３が、該脚部の上部にはスプリング懸止部３５がそれぞれ設けられており、脚部上部に設けられたスプリング懸止部３５と光学系保護カバー８に設けられたスプリング懸止部８２との間にスプリング１６が懸架されてシャッター３０の回動方向を付勢するように構成されている。
【０００９】
シャッター３０の他端は円弧状に形成され、該円弧には断面形状がコ字型のガイド部３４が形成されている。光学系保護カバー８の外縁部には、シャッター３０の回動を案内する案内部８３が回転軸３１を同心として扇形状に形成され、前記案内部の一端にはシャッターの回動停止位置を規制するストッパー部８４が設けられている。  シャッター３０の他端に形成したガイド部３４はコ字型の溝部が案内部８３を挟むような形で摺動可能に係合しており、シャッター３０は前記案内部の扇形に沿って回動し、前記案内部８３に設けられたストッパー部８４に前記ガイド部３４が当接することによって対物レンズ１５を開放状態に維持する構成になっている。
【００１０】
このシャッター機構の実際の作動は、ディスクの記録再生を開始する前には、光ピックアップ１０がディスクの最内周側、すなわち、ターンテーブル３側に在る状態となっている。この状態では、シャッター３０は対物レンズ１５を閉鎖する位置で停止している。すなわち、脚部３２の下部に設けられたストッパー３３が、ディスク記録再生装置のシャーシ１に設けられたストッパー１１に当接するとシャッター３０の脚部３２に設けられたスプリング懸止部３５と保護カバー８の側端部に設けられたスプリング懸止部８２との間に懸架されたスプリング１６は、その付勢力に反してスプリング懸止部３５側に引っ張られ、その結果、シャッター３０は時計方向に回動して対物レンズ１５を閉鎖する位置で停止状態を保つことになる（図９、図１０）。
【００１１】
ついで、ディスクの有無を確認後、記録再生が行なわれるが、ディスクに記録された情報を読み取るために、光ピックアップ１０の送り機構２の駆動により光ピックアップ１０が移動することに伴ってシャッター３０の脚部３２に設けられたストッパー３３が、ディスク記録再生装置のシャーシ１に設けられたストッパー１１より外れ、スプリング１６の付勢によってシャッター３０が開放状態となって記録再生が可能となる。
【００１２】
ディスク内の情報の読込み（記録）、再生が終了すると、上記の記録再生開始と逆の経路をたどり光ピックアップ１０がターンテーブル３側（すなわちディスクの最内周側）に送られてシャッター３０が対物レンズ１５を閉じ、その状態を維持しディスクの記録再生が終了する。  したがって、記録再生状態以外では、光ピックアップの対物レンズは常にシャッターにより塵や埃等から遮断されているので塵や埃等の多い環境下でも問題なく使用が可能である。
【００１３】
【発明が解決しようとする課題】
しかしながら、上記のような構造に構成されたシャッター機構では、光ピックアップ１０の光学系保護カバー８の外縁部に扇形状の案内部８３を設け、該案内部に沿ってシャッターが回転移動する機構となっているので、光ピックアップ自体の外形寸法が大きくなっている。すなわち、図９に示すように、ターンテーブル３の中心からシャッター３０の円弧に形成されたガイド部３４の外形までの寸法（Ｌ）が、ターンテーブル３の中心から保護カバー６の光学系部分の内壁までの寸法（Ｌ０）より大きく（Ｌ＞Ｌ０）なり、ディスク記録再生装置の保護カバーの形状、大きさの変更が必要となる。これに伴って、ディスク記録再生装置を設置するキットの大きさや形状等の設計変更が必要となる等の不都合があった。
【００１４】
本発明は、シャッター機構を備えた従来のディスク記録再生装置における上記の問題点を解決し、ディスク記録再生装置における保護カバーの大きさや形状の変更を必要としないコンパクトに構成されたシャッター機構を備えたディスク記録再生装置を提供するものである。
【００１５】
【課題を解決するための手段】
すなわち、本発明は、（１）光ピックアップを用いたディスク記録再生装置において、ディスク記録再生装置の光学ベース７に形成した軸受に回動可能に装着したシャッター９と、前記シャッター９のシャッター回転軸９１を同心軸とする円弧状の案内溝８６を形成した光学系保護カバー８とを備え、光ピックアップの移動に伴って前記シャッターが前記案内溝に沿って回動し、対物レンズ１５を開閉するように構成したシャッター機構を有することを特徴とするディスク記録再生装置に関する。
【００１６】
（２）シャッター機構は、光学ベース７に形成した軸受に回動可能に装着したシャッター９の一端にシャッター回転軸９１に沿って脚部９４を設け、該脚部にストッパー９２とスプリング懸止部９３とを設け、該シャッターの他端を光学系保護カバー８に形成した案内溝８６の縁部に摺動可能に係合させて、光ピックアップ１０の移動に伴って前記脚部に設けたスプリング懸止部９３と光学ベース７に設けたスプリング懸止部８７との間に懸架したスプリング１６を付勢し、前記シャッターを前記案内溝に沿って回転させ、対物レンズ１５を開閉するように構成したことを特徴とする上記（１）記載のディスク記録再生装置に関し、（３）シャッター９の他端部は、断面形状がＬ字型の案内部に形成されていることを特徴とする上記（２）記載のディスク記録再生装置に関する。
【００１７】
【発明の実施の形態】
以下、本発明を図面により詳細に説明する。
図１〜図４は、本発明に係るシャッター機構を備えたディスク記録再生装置の一例を示す。図１、図３は斜視図を示し、図２は上面図を示す。図１、図２はシャッターが対物レンズを開放した状態を、図３はシャッターが対物レンズを閉鎖した状態を示す。図４は、本発明のシャッター機構部の部分拡大図を示す。
【００１８】
本発明のディスク記録再生装置は、光ピックアップを用いたディスク記録再生装置において、ディスク記録再生装置の光学ベースに、シャッター回転軸９１を設け、該回転軸にシャッターを回動可能に装着し、光ピックアップの移動に伴ってシャッター９が光ピックアップ１０の光学系保護カバー８に設けられたシャッター回転軸９１を同心軸とした円弧状の案内溝８６に沿って回動し、対物レンズ部１５を開閉するように構成されたシャッター機構を有することを特徴とするものである。
【００１９】
本発明におけるシャッター機構は、光ピックアップの光学ベース７に設けられた回転軸９１に、シャッター９が回動可能に装着されて光ピックアップに設置されており、シャッターの回転軸側の一端は軸に沿って脚部９４が形成され、該脚部下端部にシャッター９の回動を規制するストッパー９２が、該脚部の上部にはスプリング懸架部９３がそれぞれ設けられている。シャッター９の他端部は円弧状に形成され、該円弧には断面形状がＬ字型の案内部９５が形成されており、光学系保護カバー８の前記案内部９５に対応する位置には、シャッター回転軸９１を同心軸とする円弧状の案内溝８６が形成されており、シャッター９は前記断面形状Ｌ字型の案内部９５が、案内溝８６の縁部下面に摺動可能に係合して前記円弧状の溝に沿って移動するように構成されている。また前記脚部９４と光学ベース７にはそれぞれスプリング懸止部９３、８７が設けられ、スプリング懸止部９３と８７との間にはスプリング１６が懸架されており、シャッター９は光ピックアップ１０の移動に伴ってスプリングの付勢により対物レンズ部を開閉する構成となっている。
【００２０】
本発明のシャッター機構の作動は、ディスクの記録再生を開始する前には、光ピックアップ１０がディスクの最内周側、すなわち、ターンテーブル３側に在る状態となっている。この状態では、シャッター脚部９４の下部に設けられたストッパー９２がディスク記録再生装置のシャーシ１に設けられたストッパー１１に当接しており、シャッター９の脚部９４に設けられたスプリング懸止部９３と光学ベース７に設けられたスプリング懸止部８７との間に懸架されたスプリング１６は、その付勢力に反してスプリング懸止部９３側に引っ張られ、その結果、シャッターは時計方向に回動して対物レンズ１５を閉鎖する位置で停止状態を保って図３に示すように対物レンズを覆う。
【００２１】
ついで、ディスクの有無を確認後、記録再生が行なわれるが、ディスクに記録された情報を読み取るために、光ピックアップ１０の送り機構２により光ピックアップ１０が移動することに伴ってシャッター脚部９４に設けられたストッパー９２が、ディスク記録再生装置のシャーシ１に設けられたストッパー１１より外れ、スプリング１６の付勢によってシャッター９が開放状態なって記録再生が可能となる。（図１、図２および図４）
【００２２】
記録再生が終了すると、上記と逆の経路、すなわち光ピックアップ１０はシャフト５に摺動して平行に移動してターンテーブル側に送られ、シャッター脚部のストッパー９２をシャーシに設けられたストッパー１１に当接してシャッター９が対物レンズ１５を覆う。したがって、光ピックアップ１０の対物レンズ１５は、記録再生状態以外では常にシャッターにより塵や埃から遮断された状態に保持される。
【００２３】
本発明におけるシャッター機構は、シャッター本体の円弧の先端に形成された断面形状がＬ字型の案内部９５は、光学系保護カバー８に設けられたシャッターの回転軸を同心軸とする円弧状の案内溝８６に前記断面形状Ｌ字型の案内部９５が挿入され、Ｌ字型の案内部９５が保護カバー案内溝の縁部下面に係合、摺動して移動するように構成されているのでシャッターが上（ディスク側）に浮き上がることを防止する構造となっている。
【００２４】
また上記光学系保護カバー８に設けられた円弧状の案内溝８６は、シャッターの回転軌跡が対物レンズを干渉しない状態で、しかもレンズ用窓部の近傍に設けられているので、シャッターの円弧の先端に形成された案内部が光学系保護カバーの外形より送り機構側に大きくはみ出ることがなくコンパクトである。
【００２５】
【発明の効果】
以上のように、本発明のシャッター機構は、シャッターの円弧の先端に形成された案内部が光学系保護カバーの外形より大きくはみ出すことがないコンパクトな構造であるので、メカ部分を覆う保護カバーの形状の変更や設計変更を行なう必要がなく、ディスク記録再生装置を設置するキットの大きさや形状等の設計変更も必要とすることなく設置することができる。
また上記のように構成したので、記録再生作動以外では光ピックアップの対物レンズは常にシャッターで覆われているので、塵や埃等が対物レンズに付着することがないものである。
【図面の簡単な説明】
【図１】本発明のシャッター機構を備えたディスク記録再生装置の保護カバーを取り除いた状態の斜視図（シャッター開放状態）
【図２】本発明のシャッター機構を備えたディスク記録再生装置の保護カバーを取り除いた状態の上面図（シャッター開放状態）
【図３】本発明のシャッター機構を備えたディスク記録再生装置の保護カバーを取り除いた状態の斜視図（シャッター閉鎖状態）
【図４】本発明のシャッター機構を説明するための部分拡大斜視図。
【図５】保護カバーを装着した状態の従来品のディスク記録再生装置の斜視図。
【図６】シャッター機構を有しない従来品のディスク記録再生装置の斜視図（保護カバーを取り除いた状態）。
【図７】シャッター機構を有しないディスク記録再生装置の上面図（保護カバーを取り除いた状態）。
【図８】従来のシャッター機構を備えたディスク記録再生装置の保護カバーを取り除いた状態の斜視図（シャッター開放状態）。
【図９】従来のシャッター機構を備えたディスク記録再生装置の保護カバーを取り除いた状態の上面図（シャッター閉鎖状態）。
【図１０】従来のシャッター機構を説明するための部分拡大斜視図。
【符号の説明】
１……シャーシ
１１…シャーシに設けられたストッパー
１５…対物レンズ
１６…スプリング
２……送り機構
２０、２１、２２……ギヤ、２３……直線ギヤ
３……ターンテーブル
４……ラック部
５……シャフト
６……保護カバー、６１…長穴
７……光学ベース
８……光学系保護カバー、８１…レンズ窓部、８２…スプリング懸止部、
８３…扇形状案内部、８４…ストッパー部、８６…案内溝、８７…スプリング懸止部、
９……シャッター
９１…回転軸、９２…ストッパー、９４…シャッター脚部、
９３…スプリング懸止部、９５…シャッター案内部
１０…光ピックアップ
３０…シャッター、３１…回転軸、３２…シャッター脚部、
３３…突起、  ３４…断面形状コ字型案内部、
３５…スプリング懸止部
【図１】
0003930753.tif 000002
【図２】
0003930753.tif 000003
【図３】
0003930753.tif 000004
【図４】
0003930753.tif 000005
【図５】
0003930753.tif 000006
【図６】
0003930753.tif 000007
【図７】
0003930753.tif 000008
【図８】
0003930753.tif 000009
【図９】
0003930753.tif 000010
【図１０】
0003930753.tif 000011